【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
相互に通信可能な第１装置及び第２装置を有し、
前記第１装置は、
画像を表示する第１表示手段と、
前記第１表示手段の表示画面上で指示されたタッチ位置を検知するタッチ位置検知手段と、
前記タッチ位置検知手段で検知した前記タッチ位置に表示される画像を前記第２装置に移動させる第１画像に特定して、前記第２装置に移動通知を送信する第１制御手段と、を備え、
前記第２装置は、
透過型ディスプレイを有する第２表示手段と、
前記第２表示手段の視野を撮像範囲として、前記第２表示手段に表示される画像を含んで撮像する撮像手段と、
前記撮像手段で撮像した撮像画像に前記第１表示手段が含まれ且つ前記第１装置から前記移動通知があるときに、前記第１装置から前記第１画像を取得し、前記撮像画像の前記第１画像が表示される位置及びサイズに応じた位置及びサイズで、前記第２表示手段に前記第１画像を表示させる第２制御手段と、を備えることを特徴とする、
情報処理システム。
【請求項２】
前記第１制御手段は、前記第１画像のプロパティ情報を前記移動通知として前記第２装置に送信し、
前記第２制御手段は、前記プロパティ情報の取得に応じて、前記第２表示手段に、前記第１画像が移動中であることを表す効果画像を表示させることを特徴とする、
請求項１記載の情報処理システム。
【請求項３】
前記第１制御手段は、前記タッチ位置検知手段がタッチ解除を検知したときにタッチ状態の解除通知を前記第２装置に送信し、
前記第２制御手段は、前記解除通知を取得した後の前記撮像画像に前記第１表示手段が含まれないときに、前記第１画像の移動を中止し、前記解除通知を取得した後の前記撮像画像に前記第１表示手段が含まれるときに、前記第１装置に移動済み通知を送信し、
前記第１制御手段は、前記移動済み通知を受信したときに前記第１画像をアンインストールすることを特徴とする、
請求項１又は２記載の情報処理システム。
【請求項４】
相互に通信可能な第１装置及び第２装置を有し、
前記第１装置は、
画像を表示する第１表示手段と、
第１制御手段と、を備え、
前記第２装置は、
透過型ディスプレイを有する第２表示手段と、
前記透過型ディスプレイの視野を撮像範囲として、前記第２表示手段に表示される画像を含んで撮像する撮像手段と、
前記撮像手段で撮像した撮像画像に含まれる前記第２表示手段に表示された画像の前記第１装置に対する位置に応じて、該画像を前記第１装置に移動させる第１画像に特定するかを判定し、移動させる場合に、前記第１画像の前記第１装置に対する位置及び前記第１画像の前記第１装置に対するサイズに応じた表示位置及び表示サイズを表すプロパティ情報を、前記第１画像とともに前記第１装置へ送信する第２制御手段と、を備え、
前記第１制御手段は、前記第２装置から取得した前記第１画像を、取得した前記プロパティ情報が表す前記表示位置及び前記表示サイズで、前記第１表示手段に表示させることを特徴とする、
情報処理システム。
【請求項５】
前記第２制御手段は、前記撮像画像に含まれる前記第２表示手段に表示された画像が前記第１表示手段に重畳するときに、該画像を前記第１装置に移動させる前記第１画像と判定し、前記第１画像の前記第１表示手段に重畳する位置及びサイズに応じて前記プロパティ情報を生成することを特徴とする、
請求項４記載の情報処理システム。
【請求項６】
前記第１装置は、前記第１表示手段の表示画面上で指示された位置を検知するタッチ位置検知手段を備えており、
前記第１制御手段は、前記タッチ位置検知手段により、前記第１表示手段に表示される前記第２装置から取得した前記第１画像の表示位置がタッチされたことを検知すると、前記第２装置に前記第１画像がタッチされたことを通知し、タッチが解除されると、前記第２装置にタッチ状態の解除を通知し
前記第２制御手段は、前記タッチされたことの通知を取得した後に前記タッチ状態の解除の通知を取得したときに、前記撮像画像に前記第１装置が含まれなければ、前記第１画像をアンインストールすることを特徴とする、
請求項４又は５記載の情報処理システム。
【請求項７】
第１表示手段を有する第１装置との通信を制御する通信手段と、
透過型ディスプレイを有する第２表示手段と、
前記透過型ディスプレイの視野を撮像範囲として、前記第２表示手段に表示される画像を含んで撮像する撮像手段と、
前記撮像手段で撮像した撮像画像に含まれる前記第２表示手段に表示された画像の前記第１装置に対する位置に応じて、該画像を前記第１装置に移動させる第１画像に特定するかを判定し、移動させる場合に、前記第１画像の前記第１装置に対する位置及び前記第１画像の前記第１装置に対するサイズに応じた表示位置及び表示サイズで、前記第１画像を、前記第１装置の前記第１表示手段に表示させる制御手段と、を備えることを特徴とする、
装置。
【請求項８】
前記制御手段は、前記撮像画像に含まれる前記第２表示手段に表示された画像が、前記第１表示手段の表示画面上に重畳されれば、該画像を前記第１画像に特定し、前記第１画像が重畳される前記第１表示手段の表示画面の位置に、前記第１画像が重畳されるサイズで、前記第１画像を表示させることを特徴とする、
請求項７記載の装置。
【請求項９】
前記第２表示手段は、表示画面が、それぞれに画像が表示される複数のエリアに分割されており、
前記制御手段は、前記撮像画像の前記第１装置が含まれるエリアに表示される画像を前記第１装置に移動させる前記第１画像に特定することを特徴とする、
請求項７記載の装置。
【請求項１０】
前記制御手段は、前記撮像手段で撮像した撮像画像に前記第１表示手段が含まれ且つ前記第１装置から第２画像の移動通知があるときに、前記第１装置から前記第２画像を取得し、前記撮像画像の前記第２画像が表示される位置及びサイズに応じた位置及びサイズで、前記第２表示手段に前記第２画像を表示させることを特徴とする、
請求項７〜９のいずれか１項記載の装置。
【請求項１１】
前記第２表示手段は、メガネ型ディスプレイであり、
前記撮像手段は、前記透過型ディスプレイの視野を撮像範囲として撮像することを特徴とする、
請求項７〜１０のいずれか１項記載の装置。
【請求項１２】
画像を表示する第１表示手段及び前記第１表示手段の表示画面上で指示されたタッチ位置を検知するタッチ位置検知手段を備える第１装置と、透過型ディスプレイを有する第２表示手段及び前記第２表示手段の視野を撮像範囲として、前記第２表示手段に表示される画像を含んで撮像する撮像手段を備える第２装置とを有し、前記第１装置と前記第２装置とが通信可能な情報処理システムにより実行される方法であって、
前記第１装置が、前記タッチ位置検知手段で検知した前記タッチ位置に表示される画像を前記第２装置に移動させる第１画像に特定して、前記第２装置に移動通知を送信し、
前記第２装置が、前記撮像手段で撮像した撮像画像に前記第１表示手段が含まれ且つ前記第１装置から前記移動通知があるときに、前記第１装置から前記第１画像を取得し、前記撮像画像の前記第１画像が表示される位置及びサイズに応じた位置及びサイズで、前記第２表示手段に前記第１画像を表示させることを特徴とする、
情報処理方法。
【請求項１３】
画像を表示する第１表示手段を備える第１装置と、透過型ディスプレイを有する第２表示手段及び前記第２表示手段の視野を撮像範囲として、前記第２表示手段に表示される画像を含んで撮像する撮像手段を備える第２装置とを有し、前記第１装置と前記第２装置とが通信可能な情報処理システムにより実行される方法であって、
前記第２装置が、前記撮像手段で撮像した撮像画像に含まれる前記第２表示手段に表示された画像の前記第１装置に対する位置に応じて、該画像を前記第１装置に移動させる第１画像に特定するかを判定し、移動させる場合に、前記第１画像の前記第１装置に対する位置及び前記第１画像の前記第１装置に対するサイズに応じた表示位置及び表示サイズを表すプロパティ情報を、前記第１画像とともに前記第１装置へ送信し、
前記第１装置が、前記第２装置から取得した前記第１画像を、取得した前記プロパティ情報が表す前記表示位置及び前記表示サイズで、前記第１表示手段に表示させることを特徴とする、
情報処理方法。
【請求項１４】
第１表示手段を有する第１装置との通信を制御する通信手段と、透過型ディスプレイを有する第２表示手段と、前記透過型ディスプレイの視野を撮像範囲として、前記第２表示手段に表示される画像を含んで撮像する撮像手段と、を備えるコンピュータを、
前記撮像手段で撮像した撮像画像に含まれる前記第２表示手段に表示された画像の前記第１装置に対する位置に応じて、該画像を前記第１装置に移動させるかを判定し、移動させる場合に、該画像の前記第１装置に対する位置及び該画像の前記第１装置に対するサイズに応じた表示位置及び表示サイズで、該画像を、前記第１装置の前記第１表示手段に表示させる制御手段、
として機能させるためのコンピュータプログラム。
【請求項１５】
請求項１４記載のコンピュータプログラムを記憶するコンピュータにより読み取り可能な記憶媒体。
【手続補正２】
【補正対象書類名】明細書
【補正対象項目名】０００７
【補正方法】変更
【補正の内容】
【０００７】
本発明の情報処理システムは、相互に通信可能な第１装置及び第２装置を有し、前記第１装置は、画像を表示する第１表示手段と、前記第１表示手段の表示画面上で指示されたタッチ位置を検知するタッチ位置検知手段と、前記タッチ位置検知手段で検知した前記タッチ位置に表示される画像を前記第２装置に移動させる第１画像に特定して、前記第２装置に移動通知を送信する第１制御手段と、を備え、前記第２装置は、透過型ディスプレイを有する第２表示手段と、前記第２表示手段の視野を撮像範囲として、前記第２表示手段に表示される画像を含んで撮像する撮像手段と、前記撮像手段で撮像した撮像画像に前記第１表示手段が含まれ且つ前記第１装置から前記移動通知があるときに、前記第１装置から前記第１画像を取得し、前記撮像画像の前記第１画像が表示される位置及びサイズに応じた位置及びサイズで、前記第２表示手段に前記第１画像を表示させる第２制御手段と、を備えることを特徴とする。